(57)【要約】  【課題】作業員の誤操作によって通電状態が生じないようにして、作業の安全性の向上を図った。  【解決手段】配電盤内の電気設備の点検時に、導体１１に接地線１２を有する第１フック１３を係止させて、導体１１を接地する。次に、第２フック１４を導体１１に係止させ、その第２フック１４を、直流電源１５を介してフォトカプラ１６の入力端の一方に接続し、フォトカプラ１６の入力端の他方は接地する。フォトカプラ１６の出力端間には、第１補助継電器１７と直流電源１８の直列回路が接続され、第１補助継電器１７の接点１７ａを遮断器の投入防止用インターロック回路１に設け、導体１１から接地線１２を取り外すまで、第１補助継電器１７の接点１７ａは閉成されていて、遮断器２は投入できない状態にある。電気設備の点検が終了した後は、第１フック１３と第２フック１４を導体１１から取り外すことにより、遮断器２の投入は可能になる。  【選択図】図１
2008160919.tif 000002
【特許請求の範囲】
【請求項１】
受変電設備の点検時に設備内の主遮断器を遮断した後に、主導体を接地線により接地した際に、接地線に入出力絶縁型継電器の入力側を接続し、前記絶縁型継電器の出力信号に基づいた信号を前記遮断器の投入防止回路に入力し、前記接地線を主導体から取り外さないと、前記遮断器の投入防止回路を解除できないようにしたことを特徴とする接地線取り外し忘れ防止装置。
【発明の詳細な説明】
【技術分野】
【０００１】
この発明は、受配電設備の例えば配電盤において、その配電盤の電気設備の保守点検を行うとき、配電盤内の遮断器を開放にした後、感電防止のために盤内に配線されている導体に、また、万一荷電されたとき、人命保護のため受電点の導体に、接地線を取り付けて接地する手段を採用しているが、保守点検後に接地線を取り外すことを忘れないようにした接地線取り外し忘れ防止装置に関するものである。
【背景技術】
【０００２】
配電盤の電気設備の保守点検においては、保守点検時に作業員により、まず手順として作業開始時に接地線を盤内の導体に取り付け、作業終了時には、接地線をその導体から取り外す作業を行っている。
【０００３】
そのため、上記作業員以外の第三者が、保守点検が終了したものと勘違いして接地線が取り外されていないまま、遮断器を投入して通電してしまうと、短絡事故に至ってしまうことがある。このような事故を発生させないために、通常、接地線を取り付けていることを報知する札掛けやチェックリストなどでチェックを行っているが、それらのチェックが抜けてしまって事故を誘発させてしまうことがある。
【０００４】
そこで、図２に示すように、配電盤内の導体２１に、フック２２を係止させ、そのフック２２に接地線２３を接続して接地させるとともに、その接地線２３に並列にフック２４と表示灯やブザーからなる報知回路２５を接続し、接地線２３が盤内の導体２１に係止されているときには、作業員以外の第三者でも容易に接地線２３が導体２１に取り付けてあることを、報知回路２５の表示灯の点灯状態やブザーの鳴動状態から認識できるようにした装置がある（例えば特許文献１，２参照）。
【特許文献１】特開平０３−２８９３０９号公報
【特許文献２】特開２００６−０５４９８６号公報
【発明の開示】
【発明が解決しようとする課題】
【０００５】
上記の背景技術においては、作業員以外の第三者でも盤内の導体に接地線が取り付けてあるが認識できるが、表示灯の点灯状態を見落としたり、ブザー（警報）の場合には、常時ブザーが鳴動していると作業がやりにくいので、作業中はブザー音（警報音）が鳴動しないように切ってしまったりすることがある。すると、警報や表示の意味がなくなり、誤って（誤操作）遮断器を投入させて導体への通電を生じさせて短絡事故を誘発させてしまうという問題が起こってしまう。
【０００６】
この発明は、上記の事情に鑑みてなされたもので、作業員の誤操作によって通電状態が生じないようにして、作業の安全性の向上を図った接地線取り外し忘れ防止装置を提供することを課題とする。
【課題を解決するための手段】
【０００７】
この発明は、上記の課題を達成するために、受変電設備の点検時に設備内の主遮断器を遮断した後に、主導体を接地線により接地した際に、接地線に入出力絶縁型継電器の入力側を接続し、前記絶縁型継電器の出力信号に基づいた信号を前記遮断器の投入防止回路に入力し、前記接地線を主導体から取り外さないと、前記遮断器の投入防止回路を解除できないようにしたことを特徴とするものである。
【発明の効果】
【０００８】
以上述べたように、この発明によれば、接地線を導体から取り外さないと、遮断器あるいは開閉器の投入操作を行っても、その投入ができないようにして、通電状態の発生が生じないようにし、保守点検作業の安全性の向上を図ることができるようにした。
【発明を実施するための最良の形態】
【０００９】
以下この発明の実施の形態を図面に基づいて説明する。図１において、１１は配電盤内の導体で、配電盤内の電気設備の点検時に、図示しない遮断器を遮断させた後、導体１１に接地線１２を有する第１フック１３を係止させて、導体１１を接地する。次に、第２フック１４を導体１１に係止させ、その第２フック１４を、直流電源１５を介してフォトカプラ１６の入力端（フォトダイオード側）の一方に接続し、フォトカプラ１６の入力端の他方は接地する。
【００１０】
フォトカプラ１６の出力端（フォトトランジスタ側）間には、第１補助継電器１７と直流電源１８の直列回路が接続され、第１補助継電器１７の接点１７ａを遮断器の投入防止用インターロック回路（投入防止回路）１に設け、導体１１から接地線１２を取り外すまで、第１補助継電器１７の接点１７ａは閉成されていて、遮断器２は投入できない状態にある。
【００１１】
なお、遮断器の投入防止用インターロック回路１は、接点１７ａ、直流電源３と第２補助継電器４からなる回路と、第２補助継電器４の常閉接点４ｂと遮断器投入コイル５からなる回路から構成される。
【００１２】
上記のように構成された実施の形態において、電気設備の点検時には、導体１１が第１フック１３と接地線１２により接地されるために、フォトカプラ１６が動作して第１補助継電器１７は付勢される。このため、接点１７ａは閉成されて、第２補助継電器４が付勢される。これにより、第２補助継電器４の常閉接点４ｂは開放されるため、遮断器投入コイル５が動作しないようにインターロックされる。従って、導体１１が接地されていると、遮断器２は投入できない。
【００１３】
一方、電気設備の点検が終了した後は、第１フック１３と第２フック１４を導体１１から取り外せば、第１補助継電器１７は、付勢されなくなる。これにより、接点１７ａは開放されるために、第２補助継電器４は消勢され、その接点４ｂは図示のようになって、遮断器２の投入ロックは解除されるので、遮断器２の投入が可能になる。
【００１４】
なお、第１フック１３と第２フック１４は、連動されるように絶縁物等で、一体化することにより、導体１１から接地線１３を確実に取り外し、取り付けができるので、より、電気設備の点検の安全性が高まる。
【００１５】
上記インターロック回路以外に、例えば、第１補助継電器１７の接点１７ａの出力を、変電所の制御システムなどを一元管理しているシーケンサなどに入力する事で、変電所の制御システムが「準備完了」とならず、変電所設備全体の主回路のすべてを一括して入電出来ないようにシステムを構築しても良い。
【図面の簡単な説明】
【００１６】
【図１】この発明の実施の形態を示す概略構成図。
【図２】従来例を示す概略構成図。
【符号の説明】
【００１７】
１…投入防止用インターロック回路（投入防止回路）
２…遮断器
３…直流電源
４…第２補助継電器
４ｂ…常閉接点
５…遮断器投入コイル
１１…導体
１２…接地線
１３…第１フック
１４…第２フック
１５、１８…直流電源
１６…フォトカプラ
１７…第１補助継電器
１７ａ…接点
【図１】
2008160919.tif 000003
【図２】
2008160919.tif 000004